(57)【要約】【課題】業務日誌の作成を簡単かつ短時間に行えるようにするとともに、業務日誌の記載漏れの発生をなくすことができる監視装置を提供する。【解決手段】監視部２０において、入力装置３５により運用者情報及びその日の天気情報を入力して記憶装置３２に登録しておくことで、イベント発生時に、制御部３３にてイベント発生日時と、イベント発生元となる親局ＴＳ全体または符号化回路１１、変調回路１２、送受信部１４、復調回路１６、復号回路１７、モデム１９１〜１９ｎといった信号処理部の機器名と、イベント内容と、記憶装置３２に登録された運用者情報及び天候情報とを対応付けた業務日誌情報を自動的に生成するようにしている。【選択図】      図２
2010193279.tif 000002
【特許請求の範囲】
【請求項１】
衛星を介して伝送信号を送受信する通信装置内で使用される複数の信号処理部それぞれの運用状態を監視する監視装置において、
前記複数の信号処理部の運用状態を監視する運用者と天候の入力を受け付ける入力手段と、
この入力手段により前記運用者及び天候が入力されたときに、これら前記運用者情報及び天候情報を記録媒体に登録する登録手段と、
前記伝送信号の送受信及び前記複数の信号処理部の運用状態の変化の少なくとも１つに係わるイベント発生時に、イベント発生日時と、イベント発生元となる前記通信装置を特定する識別情報または前記複数の信号処理部それぞれを特定する識別情報と、イベント内容と、前記記録媒体に登録された前記運用情報及び天候情報とを対応付けた業務日誌情報を生成する業務日誌生成手段と、
この業務日誌生成手段により生成された業務日誌情報を提示する提示手段とを具備したことを特徴とする監視装置。
【請求項２】
前記提示手段は、前記業務日誌情報を分類した複数の月情報を提示する月別提示手段と、提示された複数の月情報のうち少なくとも１つの選択を受け付ける月情報選択入力手段と、この選択された月情報に対応する業務日誌情報を提示する提示制御手段とを備えたことを特徴とする請求項１記載の監視装置。
【請求項３】
前記業務日誌生成手段は、外部から周期的に送られる時刻情報に基づいて、前記業務日誌情報のイベント発生日時を補正する時刻補正手段を備えたことを特徴とする請求項１記載の監視装置。
【請求項４】
前記入力手段は、予め登録された複数の運用者情報の一覧を提示し、この提示された複数の運用者情報のうちいずれかの選択を受け付けることを特徴とする請求項１記載の監視装置。
【請求項５】
前記入力手段は、予め登録された複数の天候情報の一覧を提示し、この提示された複数の天候情報のうちいずれかの選択を受け付けることを特徴とする請求項１記載の監視装置。
【請求項６】
前記登録手段は、入力手段により入力される前記運用者及び天候のいずれか１つが前記記録媒体に登録済みである場合に、登録済みである旨を提示することを特徴とする請求項１記載の監視装置。
【請求項７】
衛星を介して伝送信号を送受信する通信装置内で使用される複数の信号処理部それぞれの運用状態を監視する監視装置で用いられ、
前記複数の信号処理部の運用状態を監視する運用者と天候が入力されたときに、これら前記運用者情報及び天候情報を記録媒体に登録し、
前記伝送信号の送受信及び前記複数の信号処理部の運用状態の変化の少なくとも１つに係わるイベント発生時に、イベント発生日時と、イベント発生元となる前記通信装置を特定する識別情報または前記複数の信号処理部それぞれを特定する識別情報と、イベント内容と、前記記録媒体に登録された前記運用情報及び天候情報とを対応付けた業務日誌情報を生成し、
この生成された業務日誌情報を提示するようにしたことを特徴とする業務日誌情報生成方法。
【発明の詳細な説明】
【技術分野】
【０００１】
この発明は、例えば衛星通信システムの無線局内の各信号処理部それぞれの運用状態を監視するための業務日誌情報を生成する監視装置及び業務日誌情報生成方法に関する。
【背景技術】
【０００２】
放送システムにあっては、親局と子局とを衛星回線により接続する伝送システムが構築されている。この衛星回線は、予め決められた帯域のうち、映像・音声・データ伝送用の複数の映像回線と、親局と子局との間で通信を行なうための連絡回線とが周波数軸上で割り当てられている。
【０００３】
このようなシステムを用いれば、親局は遠隔地に設置される多数の子局に対し放送信号を伝送することができる。
【０００４】
ところで、上記親局、子局といった無線局においては、業務日誌を作成することが義務付けられている。この業務日誌の作成は、実際の運用後に運用者が運用状態を紙等に記入することにより行われる。このため、業務日誌の作成に多くの時間と労力を必要とし、しかも作成作業の大半が運用者の手により行われるため、人為的ミスの発生や業務日誌の記載漏れ等が多い。
【０００５】
なお、この種に関連する従来技術として、特許文献１に、無線通信装置において自動で無線業務日誌を作成する構成が示されている。但し、この特許文献１に記載のものは、相手通信局との通信において、相手局情報しか無線業務日誌に自動で書き込むことしかできないことを問題としており、自己の無線局内の運用状態や運用状態に変化が生じたときの周囲の状況等を無線業務日誌に記載するものではない。
【先行技術文献】
【特許文献】
【０００６】
【特許文献１】特開２００３−３３２９３５公報。
【発明の概要】
【発明が解決しようとする課題】
【０００７】
以上述べたように、従来の業務日誌の作成方法では、作成作業に多くの時間と労力を要するとともに、人為的ミスや業務日誌の記載漏れ等が発生しやすい。
【０００８】
そこで、この発明の目的は、業務日誌の作成を簡単かつ短時間に行えるようにするとともに、業務日誌の記載漏れの発生をなくすことができる監視装置及び業務日誌情報生成方法を提供することにある。
【課題を解決するための手段】
【０００９】
上記目的を達成するためにこの発明に係る監視装置は、衛星を介して伝送信号を送受信する通信装置内で使用される複数の信号処理部それぞれの運用状態を監視する監視装置において、複数の信号処理部の運用状態を監視する運用者と天候の入力を受け付ける入力手段と、この入力手段により運用者及び天候が入力されたときに、これら運用者情報及び天候情報を記録媒体に登録する登録手段と、伝送信号の送受信及び複数の信号処理部の運用状態の変化の少なくとも１つに係わるイベント発生時に、イベント発生日時と、イベント発生元となる通信装置を特定する識別情報または複数の信号処理部それぞれを特定する識別情報と、イベント内容と、記録媒体に登録された運用情報及び天候情報とを対応付けた業務日誌情報を生成する業務日誌生成手段と、この業務日誌生成手段により生成された業務日誌情報を提示する提示手段とを備えるようにしたものである。
【００１０】
この構成によれば、運用者はまず運用者情報及びその日の天候情報を記録媒体に登録しておくだけで、イベント発生時に、イベント発生日時と、イベント発生元となる通信装置を特定する識別情報または複数の信号処理部それぞれを特定する識別情報と、イベント内容と、記録媒体に登録された運用者情報及び天候情報とを対応付けた業務日誌情報が自動的に生成されることになる。このため、運用者にとっては業務日誌の作成に必要な労力を大幅に低減することができ、しかも人為的ミスや業務日誌の記載漏れをなくすことができる。また、イベント発生ごとに運用者情報及び天候情報を業務日誌に載せるようにしているので、運用者はイベント発生時の詳細情報、つまり天候に左右される衛星回線の減衰量等を漏れることなく把握することができる。
【００１１】
提示手段は、業務日誌情報を分類した複数の月情報を提示する月別提示手段と、提示された複数の月情報のうち少なくとも１つの選択を受け付ける月情報選択入力手段と、この選択された月情報に対応する業務日誌情報を提示する提示制御手段とを備えるようにした。
【００１２】
この構成によれば、例えば表示器に多くの業務日誌情報を表示すると見づらくなることがあるため、運用者の選択により月別の業務日誌情報を選択的に表示できるようにすれば、運用者は見やすい業務日誌で内容を確認できるようになる。
【００１３】
業務日誌生成手段は、外部から周期的に送られる時刻情報に基づいて、業務日誌情報のイベント発生日時を補正する時刻補正手段を備えた。
【００１４】
この構成によれば、時刻情報が誤らないように時刻補正を例えば１日１回実施するようにすれば、信頼性の高い業務日誌を作成することができる。
【００１５】
入力手段は、予め登録された複数の運用者情報の一覧を提示し、この提示された複数の運用者情報のうちいずれかの選択を受け付ける。また、入力手段は、予め登録された複数の天候情報の一覧を提示し、この提示された複数の天候情報のうちいずれかの選択を受け付ける。
【００１６】
この構成によれば、運用者は一覧表示された情報の中から選択するという簡単な操作で運用者情報及び天候情報を登録することができる。
【発明の効果】
【００１７】
この発明によれば、業務日誌の作成を簡単かつ短時間に行えるようにするとともに、業務日誌の記載漏れをなくすことができる監視装置及び業務日誌情報生成方法を提供することができる。
【図面の簡単な説明】
【００１８】
【図１】この発明に係わる監視装置が使用される衛星通信システムの一実施形態を示す概略構成図。
【図２】上記図１に示した親局の監視・制御系統を示すブロック図。
【図３】同実施形態における監視部の動作手順とその内容を示すフローチャート。
【図４】同実施形態において、運用者及び天気の入力を受け付けるポップアップ画面の一例を示す図。
【図５】同実施形態において、予め登録された複数の運用者名の一覧の子画面を示す図。
【図６】同実施形態において、予め登録された複数の天気の一覧の子画面を示す図。
【図７】同実施形態において、運用者及び天気の登録済み画面を示す図。
【図８】同実施形態において、運用者及び天気の未登録画面を示す図。
【図９】同実施形態において、業務日誌画面を示す図。
【発明を実施するための形態】
【００１９】
以下、この発明の実施形態について図面を参照して詳細に説明する。  
図１は、放送システムにおけるＳＮＧ(Satellite NewsGatharing)に適用したこの発明に係わる衛星通信システムの一実施形態を示す概略構成図であり、ＴＳは親局、ＲＳ１，ＲＳ２は子局をそれぞれ示している。
【００２０】
親局ＴＳは、図示しない放送素材送出処理部から出力された放送素材データを符号化回路１１に入力している。符号化回路１１は、入力された放送素材データを符号化し、この符号化データを変調回路１２に出力する。変調回路１２は、入力された符号化データを所定の変調方式により変調し、この変調信号を合成・分配器１３を介して送受信部（Ｔ／Ｒ）１４に供給する。
【００２１】
送受信部１４は、上記変調信号を周波数変換したのち所定の送信電力レベルに増幅し、この増幅された放送信号をアンテナ１５から衛星回線により衛星ＳＡＴに向け送信する。この衛星ＳＡＴに向けられて送信された放送信号は、各子局ＲＳ１，ＲＳ２により受信される。
【００２２】
また、送受信部１４は、衛星ＳＡＴから到来する各子局ＲＳ１，ＲＳ２からの放送信号を受信し、この受信信号を合成・分配器１３を介して復調回路１６に供給する。復調回路１６は、受信信号をデジタル復調してベースバンドの符号化データを復号回路１７に出力する。復号回路１７は、入力された符号化データを復号して元の放送素材データに戻す。
【００２３】
また、親局ＴＳには、連絡回線部（ＯＷ：Order Wire）のデータ送出装置を構成するデータ伝送アダプタ（ＯＷ  ＣＯＮＴ）１８と、モデム１９１〜１９ｎとが設けられる。また、データ伝送アダプタ１８には、図示しないルータ及びＬＡＮを介して電話機、ＦＡＸ及びサーバ装置が接続される。電話機、ＦＡＸ及びサーバ装置から発生したデータは、ルータを介してデータ伝送アダプタ１８に蓄積される。
【００２４】
データ伝送アダプタ１８は、蓄積された情報をモデム１９１〜１９ｎを介して合成・分配器１３に出力し、連絡回線を使用したデータ信号を生成する。
【００２５】
合成・分配器１３は、上記変調回路１２から出力される放送信号に、上記連絡回線を使用したデータ信号を合成する。そして、この合成信号を上記送受信部１４により送信させる。
【００２６】
さらに、親局ＴＳには、本発明に係わる監視部２０が備えられる。監視部２０は、各部の運用状態の監視を行う。
【００２７】
なお、子局ＲＳ１，ＲＳ２も、親局ＴＳと同様な構成である。
【００２８】
図２は、上記親局ＴＳの監視・制御系統を示すブロック図である。
【００２９】
すなわち、監視部２０は、アクティブハブ２１，２２及びローカル制御部２３，２４を介して符号化回路１１、変調回路１２、送受信部１４、復調回路１６、復号回路１７、モデム１９１〜１９ｎに接続されている。
【００３０】
監視部２０は、パーソナル・コンピュータ（ＰＣ）により構成され、通信部３１と、記憶部３２と、制御部３３と、ＣＲＴを用いた表示装置３４と、キーボード及びマウスからなる入力装置３５と、タイマ３６とを備えている。このうち、通信部３１は、符号化回路１１、変調回路１２、送受信部１４、復調回路１６、復号回路１７、モデム１９１〜１９ｎから送られる機器のアラーム情報や送信、受信した内容といったイベントをログデータとして受信する。
【００３１】
制御部３３は、通信部３１により受信したログデータをタイマ３６からの日付、時刻情報とともに記憶部３２に記憶するとともに、表示装置３４に供給して表示させる。このログデータには、イベント発生元となる機器名と、分類と、イベント発生内容と、イベント発生日時が含まれる。
【００３２】
ところで、上記監視部２０は、この発明に係わる運用者情報及び天候情報の入力を受け付ける機能と、入力された運用者情報及び天気情報を記憶部３２に登録する機能と、入力された運用者情報及び天気情報を反映した業務日誌情報を生成する機能と、業務日誌情報を表示する機能と、業務日誌情報を月別に選択的に表示する機能と、時刻を補正する機能とを有している。これら機能は、上記通信部３１と、記憶部３２と、制御部３３と、表示装置３４と、入力装置３５とによって実現する。
【００３３】
入力装置３５は、監視部２０に対し種々の動作指示を入力するために使用するもので、希望する運用者の入力と、天気の入力にも使用される。これら運用者及び天気が入力された場合には、これら運用者情報及び天気情報が記憶部３２に記憶保持される。
【００３４】
制御部３３は、イベント発生により通信部３１によりログデータが受信されるごとに、イベント発生日時と、イベント発生元となる機器名と、イベント内容と、記憶部３２に登録された運用者情報及び天気情報とを対応付けた業務日誌情報を生成し、この生成した業務日誌情報を記憶部３２に記憶するとともに、表示装置３４に供給して表示させる。
【００３５】
次に、以上のように構成された監視部２０の動作を説明する。図３は、監視部２０において、制御部３３の動作手順とその内容を示すフローチャートである。
【００３６】
制御部３３は、ステップＳＴ３ａにおいて、図４に示すように、運用者及び天気の入力を受け付けるポップアップ画面を表示装置３４に表示する。そして、この状態で運用者が画面右側の運用者選択ボタンを入力装置３５により押下したとする。そうすると、制御部３３は、ステップＳＴ３ａからステップＳＴ３ｂに移行してここで図５に示すような予め登録された複数の運用者名の一覧の子画面を表示装置３４に表示する。この表示状態で、ユーザの選択、追加、削除が行えることになる。
【００３７】
このとき運用者は、「ユーザＡ」を入力装置３５により選択指定したとする。そうすると、制御部３３は図４に示すポップアップ画面を表示装置３４に表示する。そして、この状態で運用者が画面右側の天気選択ボタンを入力装置３５により押下したとする。そうすると、制御部３３は、ステップＳＴ３ｂからステップＳＴ３ｃに移行してここで図６に示すような予め登録された複数の天気の一覧の子画面を表示装置３４に表示する。この表示により運用者は作成日の天気を選択できる。
【００３８】
このとき運用者は、「くもり」を入力装置３５により選択指定したとする。そうすると、制御部３３はポップアップ画面上で入力された運用者名及び天気を表示装置３４に表示する。この状態において運用者が入力装置３５において確定操作を行なうと、制御部３３は入力された運用者情報及び天気情報を記憶部３２に記憶保持する（ステップＳＴ３ｄ）。これにより業務日誌に記載する運用者情報及び天気情報の登録がなされる。
【００３９】
なお、運用者情報もしくは天気情報のどちらかが入力されていれば、図７に示すように、「済」印が例えば水色に点灯する。一方、運用者情報、天気情報のいずれも入力されていない場合、図８に示すように、「未」印が例えば桃色に点灯する。
【００４０】
制御部３３は、ステップＳＴ３ｅにおいて符号化回路１１、変調回路１２、送受信部１４、復調回路１６、復号回路１７、モデム１９１〜１９ｎといった信号処理部の運用状態を監視しており、各信号処理部から機器のアラーム情報や衛星ＳＡＴへ送信した内容、衛星ＳＡＴから受信した内容を含むイベントに関するイベント発生日時と、イベント発生元となる機器名と、分類と、イベント内容と、記憶部３２に登録された運用者情報及び天候情報とを対応付けた業務日誌情報を生成し（ステップＳＴ３ｆ）、この生成した業務日誌情報を記憶部３２に記憶するとともに、図９に示すように表示装置３４に供給して表示させる（ステップＳＴ３ｇ）。
【００４１】
なお、分類としては、例えば「ＣＯＮＴＲＯＬＬ」、「ＴＡＬＬＬＹ」、「ＡＲＡＲＭ」がある。「ＣＯＮＴＲＯＬＬ」は制御時に発生するログを示し、青色の文字で表示される。「ＴＡＬＬＬＹ」は機器状態変化時に発生するログを示し、緑色の文字で表示される。「ＡＲＡＲＭ」は機器異常時に発生するログを示し、発生は赤色、復旧は黄色の文字で表示される。また、機器名としては、親局ＴＳ全体を表す「ＳＹＳＴＥＭ」や、復調回路１６を表す「ＨＤ／ＳＤ  ＤＥＭ１」がある。
【００４２】
また、業務日誌画面を表示する毎に画面上側に表示される今月ボタンが選択状態表示となり、今月発生した運用ログが表示される。
【００４３】
また、画面表示時に月別表示ボタンは今月のボタンが最右端に配置され、左端に向かって順番に月表示がさかのぼって配置される。この業務日誌情報は、例えば運用者が運用後に各天気別にそのイベント発生内容を分析して不明点の傾向性を解析するために使用される。
【００４４】
この業務日誌画面を表示している状態で運用者が、例えば「５月」の運用ログを表示するべく入力装置３５において表示指示を入力したとする。そうすると制御部３３は、ステップＳＴ３ｈからステップＳＴ３ｉに移行してここで記憶部３２に記憶されている過去の業務日誌情報の中から５月の運用ログを抽出して表示装置３４に表示する。
【００４５】
なお、月別抽出表示中も、該当の分類の新規運用ログが発生するとリアルタイムで最上段の行にログを追加する。
【００４６】
また、業務日誌画面に表示されるイベント発生日時としては、監視部２０に内蔵されるタイマ３６の日付、時刻情報に基づき表示され、表示する書式は、西暦／月／日  時：分：秒とする。この時刻情報の秒表示は、最適状態とするために０〜２９秒は分はそのまま、３０〜５９秒は分を繰り上げる。例えば「０１：５９：２８」は、「０１：５９：００」に補正し、「０１：５９：４８」は、「０２：００：００」に補正する。
【００４７】
以上述べたようにこの実施形態では、監視部２０において、入力装置３５により運用者情報及びその日の天気情報を入力して記憶装置３２に登録しておくことで、イベント発生時に、制御部３３にてイベント発生日時と、イベント発生元となる親局ＴＳ全体または符号化回路１１、変調回路１２、送受信部１４、復調回路１６、復号回路１７、モデム１９１〜１９ｎといった信号処理部の機器名と、イベント内容と、記憶装置３２に登録された運用者情報及び天候情報とを対応付けた業務日誌情報を自動的に生成するようにしている。
【００４８】
従って、運用者にとっては業務日誌の作成に必要な労力を大幅に低減することができ、しかも人為的ミスや業務日誌の記載漏れをなくすことができる。また、イベント発生ごとに運用者情報及び天気情報を業務日誌に載せるようにしているので、運用者はイベント発生時の詳細情報、つまり天候に左右される衛星回線の減衰量等を漏れることなく把握することができる。
【００４９】
また、上記実施形態では、運用者の選択により月別の業務日誌情報を選択的に表示装置３４に表示するようにしているので、運用者は過去の業務日誌を閲覧できるとともに、例えば表示装置３４に多くの情報を表示することによる見づらさをなくすことができ、これにより運用者は見やすい業務日誌で内容を確認できるようになる。
【００５０】
さらに、上記実施形態では、時刻情報が誤らないように時刻補正を例えば１日１回実施するようにしているので、信頼性の高い業務日誌を作成することができる。
【００５１】
なお、上記実施形態では、天気情報として「晴れ」、「雨」、「くもり」、「雪」を例にして説明したが、例えば「晴れ時々くもり」や「晴れ及び強風」、「雨及び台風」等の細かな天候情報であってもよい。
【００５２】
また、上記実施形態において、記憶部３２に運用者の勤務時間表を登録しておき、この勤務時間表に従って記憶部３２に登録済みの運用者名を自動的に更新するようにしてもよい。
【００５３】
その他、システムの構成、親局の構成、監視部の機能構成、運用者情報、天候情報の登録手順とその内容、業務日誌情報の生成手順とその内容等についても、この発明の要旨を逸脱しない範囲で種々変形して実施できる。
【符号の説明】
【００５４】
１１…符号化回路、１２…変調回路、１３…合成・分配器、１４…送受信部（Ｔ／Ｒ）、１５…アンテナ、１６…復調回路、１７…復号回路、１８…データ伝送アダプタ（ＯＷ  ＣＯＮＴ）、１９１〜１９ｎ…モデム、２０…監視部、３１…通信部、３２…記憶部、３３…制御部、３４…表示装置、３５…入力装置、３６…タイマ、ＳＶ…ＮＴＰサーバ、ＴＳ…親局、ＲＳ１，ＲＳ２…子局、ＳＡＴ…衛星。
【図１】
2010193279.tif 000003
【図２】
2010193279.tif 000004
【図３】
2010193279.tif 000005
【図４】
2010193279.tif 000006
【図５】
2010193279.tif 000007
【図６】
2010193279.tif 000008
【図７】
2010193279.tif 000009
【図８】
2010193279.tif 000010
【図９】
2010193279.tif 000011